【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
受信した通信信号を追跡する方法であって、
複数のサンプルグループを形成するために、前記受信した通信信号のサンプルを複数個累積することと、なお、前記サンプルグループのそれぞれは、所定の数のサンプルを含む；
隣同士のサンプルグループの所定の部分をオーバラップさせることと；及び
前記オーバラップされたサンプルグループに基づいてタイミング誤差を決定すること；
を備える方法。
【請求項２】
前記受信した通信信号はＣＤＭＡ逆パイロット信号である、請求項１に記載の方法。
【請求項３】
時間追跡ループで残留タイミング誤差の標準偏差を減少させる方法であって、請求項１に記載の方法を備え、
前記複数のサンプルを発生させるために、前記受信した通信信号を周期的にサンプリングすることと；
前記複数のサンプルグループに対応する複数の累積物を形成するために、前記サンプルの内の少なくとも一部をメモリに記憶することと、なお、各累積物はＫ個のサンプルを含む；
をさらに備えており、
前記オーバラップさせることは、
前記メモリ中の隣り合った累積物をオーバラップ係数Ｐでオーバラップさせることと；
前記オーバラップする累積物に基づいてタイミング調整を決定することと；及び
前記受信した通信信号のタイミングを、前記タイミング調整にしたがって調整すること；
を備える、
方法。
【請求項４】
前記通信信号はスペクトル拡散通信信号である、請求項３に記載の方法。
【請求項５】
前記通信信号はＣＤＭＡ逆パイロット信号である、請求項４に記載の方法。
【請求項６】
Ｋは約３２から５１２の範囲にある、請求項３に記載の方法。
【請求項７】
Ｐは約２５％から７５％の範囲にある、請求項３に記載の方法。
【請求項８】
Ｐは約５０％である、請求項７に記載の方法。
【請求項９】
約２分の１チップだけ前記受信した通信信号より早いタイミングを有する早発オーバラップ累積信号を生成することと；
約２分の１チップだけ前記受信した通信信号より遅いタイミングを有する遅発オーバラップ累積信号を生成することと；
をさらに備える、請求項８に記載の方法。
【請求項１０】
前記決定の動作は、
前記タイミング調整を決定するために、前記早発オーバラップ累積信号のエネルギーと前記遅発オーバラップ累積信号のエネルギーを比較すること、
を備える、請求項９に記載の方法。
【請求項１１】
前記決定の動作は、
前記タイミング調整を決定するために、前記早発オーバラップ累積信号の大きさと前記遅発オーバラップ累積信号の大きさを比較すること、
を備える、請求項９に記載の方法。
【請求項１２】
受信した通信信号を追跡するシステムであって、
所定の数の信号サンプルの複数の累積物を形成するように構成された累積器と、なお、前記累積器は、隣り合った累積物の所定の部分がオーバラップされるように、隣り合った累積物を組み合わせる；及び
前記オーバラップした累積物に基づいてタイミング誤差を決定するように構成されたタイミング弁別器と；
を備えるシステム。
【請求項１３】
前記受信した通信信号はスペクトル拡散信号であり、前記システムは、
前記タイミング誤差と関連した疑似雑音オフセットを用いて前記受信した通信信号をデスプレッドするように構成されたデスプレッダ、
をさらに備える、請求項１２に記載のシステム。
【請求項１４】
スペクトル拡散通信システムにおいて、タイミング誤差を追跡する、請求項１２に記載のシステムを備えているシステムであって、前記タイミングエラーは、前記受信した通信信号のタイミング特性と受信ユニットのタイミングインジケータ間の差であり、前記システムは、
複数のサンプルを発生させるために、前記受信した通信信号をサンプリングするための手段と；
前記複数の累積物を形成するために、前記サンプルの内の少なくとも一部をメモリに記憶するための手段と、なお、各累積物は、所定の数のサンプルを含む；
複数のオーバラップする累積物を形成するために、隣り合った累積物の所定の部分をオーバラップさせるための手段と；及び
前記オーバラップする累積物に基づいて前記タイミング誤差を決定するための手段と；
をさらに備えるシステム。
【請求項１５】
前記受信した通信信号はＣＤＭＡ信号である、請求項１４に記載のシステム。
【請求項１６】
前記所定の部分は約５０％である、請求項１４に記載のシステム。
【請求項１７】
各累積物は所定の数の連続するサンプルを備える、請求項１４に記載のシステム。
【請求項１８】
前記タイミング誤差だけオフセットされるタイミングメカニズムを有するスペクトル拡散通信信号を受信するための信号プロセッサ、を備え、前記信号プロセッサは、
前記受信された通信信号をサンプリングし、前記複数のサンプル累積物を生成するように構成されたサンプリングモジュールと、なお、前記サンプル累積物の各々は前記所定の数のサンプルを備え、隣り合ったサンプル累積物の所定の部分がオーバラップされる；
前記複数のオーバラップ累積物から導き出される早発通信信号を生成するように構成されたアドバンスモジュールと；
前記複数のオーバラップ累積物から導き出される遅発通信信号を生成するように構成されたリタードモジュールと；及び
前記早発通信信号と遅発通信信号の間のエネルギー差を測定し、それに応じてタイミング誤差を決定するように構成されたタイミング弁別器と；
を備える、
請求項１２に記載のシステム。
【請求項１９】
前記タイミング誤差を用いて、前記タイミングメカニズムをオフセットする、請求項１８に記載の信号プロセッサ。
【請求項２０】
前記早発通信信号は、約２分の１チップだけ前記受信した通信信号より早い、請求項１８に記載の信号プロセッサ。
【請求項２１】
前記遅発通信信号は、約２分の１チップだけ前記受信した通信信号より遅い、請求項１８に記載の信号プロセッサ。
【請求項２２】
前記受信した通信信号はＣＤＭＡ信号である、請求項１８に記載の信号プロセッサ。
【請求項２３】
前記受信した通信信号はＣＤＭＡ２０００逆パイロット信号である、請求項１８に記載の信号プロセッサ。
【請求項２４】
タイミング誤差だけオフセットされるタイミングメカニズムを有する信号プロセッサ、を備え、前記信号プロセッサは、
前記受信した通信信号から複数のサンプルを得るように構成されたサンプラと；
前記所定の数の前記複数のサンプルを備える前記複数の累積物に対応する複数のサンプルグループを生成するように構成された累積器と、なお、前記累積器は、複数のオーバラップするサンプルグループを備えるオンタイム信号を形成するために、隣り合ったサンプルグループの所定の部分をオーバラップする；
前記複数のオーバラップサンプルグループから導き出される早発信号を生成するように構成されたアドバンスモジュールと；
前記複数のオーバラップサンプルグループから導き出される遅発信号を生成するように構成されたリタードモジュールと；及び
前記早発通信信号と遅発通信信号の間のエネルギー差を測定し、それに応じてタイミング誤差を決定するように構成されたタイミング弁別器と；
を備える、請求項１２に記載のシステム。
【請求項２５】
前記タイミング誤差を用いて、前記タイミングメカニズムをオフセットする、請求項２４に記載の信号プロセッサ。
【請求項２６】
前記早発通信信号は前記オンタイム信号より１チップ未満だけ早く、前記遅発通信信号は前記オンタイム信号より１チップ未満だけ遅い、請求項２４に記載の信号プロセッサ。
【請求項２７】
前記通信信号はスペクトル拡散信号である、請求項２４に記載の信号プロセッサ。
【請求項２８】
前記所定の数は約３２から５１２の範囲にある、請求項２４に記載の信号プロセッサ。
【請求項２９】
前記所定の数は約３２から５１２の範囲にある、請求項２４に記載の信号プロセッサ。
【手続補正２】
【補正対象書類名】明細書
【補正対象項目名】００４７
【補正方法】変更
【補正の内容】
【００４７】
開示の実施形態を上記のように説明したのは、当業者なら誰でも、本発明を作成したり用いたりすることを可能とするためである。これらの実施形態に対する様々な修正が当業者には明らかであろうし、また、本明細書に定める一般的な原理は、本発明の精神と範囲から逸脱することなく他の実施形態にも適用される。したがって、本発明は、本明細書に示す実施形態に限られることを意図するものではなく、本明細書に開示する原理と新規な特徴とに適合する最も広い範囲を与えられることを意図するものである。
以下に、本願発明の当初の特許請求の範囲に記載された発明を付記する。
[１]
時間追跡ループで残留タイミング誤差の標準偏差を減少させる方法であって、
受信した通信信号を周期的にサンプリングして、複数のサンプルを発生させ；
前記サンプルの内の少なくとも１部をメモリに記憶して、各々がＫ個のサンプルを含む複数の累積物を形成し；
前記メモリ中の隣り合った累積物をオーバラップ係数Ｐでオーバラップさせ；
前記オーバラップする累積物に基づいてタイミング調整を決定し；及び
前記受信した通信信号のタイミングを、前記タイミング調整にしたがって調整する；
ことを備える方法。
[２]
前記通信信号はスペクトル拡散通信信号である、[１]に記載の方法。
[３]
前記通信信号はＣＤＭＡ逆パイロット信号である、[２]に記載の方法。
[４]
Ｋは約３２から５１２の範囲にある、[１]に記載の方法。
[５]
Ｐは約２５％から７５％の範囲にある、[１]に記載の方法。
[６]
Ｐは約５０％である、[５]に記載の方法。
[７]
約２分の１チップだけ前記受信した通信信号より早いタイミングを有する早発オーバラップ累積信号を生成し；
約２分の１チップだけ前記受信した通信信号より遅いタイミングを有する遅発オーバラップ累積信号を生成する；
ことをさらに備える、[１]に記載の方法。
[８]
前記決定の動作は、前記早発オーバラップ累積信号のエネルギーと前記遅発オーバラップ累積信号のエネルギーを比較して、前記タイミング調整を決定することを備える、[７]に記載の方法。
[９]
前記決定の動作は、前記早発オーバラップ累積信号の大きさと前記遅発オーバラップ累積信号の大きさを比較して、前記タイミング調整を決定することを備える、[７]に記載の方法。
[１０]
受信した通信信号を追跡する方法であって、
前記受信した通信信号のサンプルを複数個累積して、各々が所定の数のサンプルを含む複数のサンプルグループを形成し；
隣同士のサンプルグループの所定の部分をオーバラップさせ；及び
前記オーバラップされたサンプルグループに基づいてタイミング誤差を決定する；
ことを備える方法。
[１１]
前記受信した通信信号はＣＤＭＡ逆パイロット信号である、[１０]に記載の方法。
[１２]
スペクトル拡散通信システムにおいて、受信した通信信号のタイミング特性と受信ユニットのタイミングインジケータ間の差であるタイミング誤差を追跡するシステムであって、
前記受信した通信信号をサンプリングして、複数のサンプルを発生する手段と；
前記サンプルの内の少なくとも一部をメモリに記憶して、各々が所定の数のサンプルからなる複数の累積物を形成する手段と；
隣り合った累積物の所定の部分をオーバラップさせて、複数のオーバラップする累積物を形成する手段と；及び
前記オーバラップする累積物に基づいてタイミング誤差を決定する手段と、
を備えるシステム。
[１３]
前記受信した通信信号はＣＤＭＡ信号である、[１２]に記載のシステム。
[１４]
前記所定の部分は約５０％である、[１２]に記載のシステム。
[１５]
各累積物は所定の数の連続するサンプルからなる、[１２]に記載のシステム。
[１６]
タイミング誤差だけオフセットされるタイミングメカニズムを有するスペクトル拡散通信信号を受信するための信号プロセッサであって、
受信された通信信号をサンプリングし、各々が所定の数のサンプルを含む複数のサンプル累積物を生成するように構成されたサンプリングモジュールであって、隣り合ったサンプル累積物の所定の部分がオーバラップされるサンプリングモジュールと；
前記複数のオーバラップ累積物から誘導された早発通信信号を生成するように構成されたアドバンスモジュールと；
前記複数のオーバラップ累積物から誘導された遅発通信信号を生成するように構成されたリタードモジュールと；及び
前記早発通信信号と遅発通信信号の間のエネルギー差を測定し、それに反応してタイミング誤差を決定するように構成されたタイミング弁別器と；
を備える信号プロセッサ。
[１７]
前記タイミング誤差を用いて、前記タイミングメカニズムをオフセットする、[１６]に記載の信号プロセッサ。
[１８]
前記早発通信信号は、約２分の１チップだけ前記受信した通信信号より早い、[１６]に記載の信号プロセッサ。
[１９]
前記遅発通信信号は、約２分の１チップだけ前記受信した通信信号より遅い、[１８]に記載の信号プロセッサ。
[２０]
前記受信した通信信号はＣＤＭＡ信号である、[１６]に記載の信号プロセッサ。
[２１]
前記受信した通信信号はＣＤＭＡ２０００逆パイロット信号である、[１６]に記載の信号プロセッサ。
[２２]
タイミング誤差だけオフセットされるタイミングメカニズムを有する信号プロセッサであって、
受信した通信信号から複数のサンプルを得るように構成されたサンプラと；
前記複数のサンプルの内の所定の数のサンプルからなる複数のサンプルグループを生成するように構成された累積器であって、前記累積器は隣り合ったサンプルグループの所定の部分をオーバラップして、複数のオーバラップするサンプルグループからなるオンタイム信号を形成するように構成されている累積器と；
前記複数のオーバラップサンプルグループから誘導された早発信号を生成するように構成されたアドバンスモジュールと；
前記複数のオーバラップサンプルグループから誘導された遅発信号を生成するように構成されたリタードモジュールと；及び
前記早発通信信号と遅発通信信号の間のエネルギー差を測定し、それに反応してタイミング誤差を決定するように構成されたタイミング弁別器と；
を備える信号プロセッサ。
[２３]
前記タイミング誤差を用いて、前記タイミングメカニズムをオフセットする、[２２]に記載の信号プロセッサ。
[２４]
前記早発通信信号は前記オンタイム信号より１チップ未満だけ早く、前記遅発通信信号は前記オンタイム信号より１チップ未満だけ遅い、[２２]に記載の信号プロセッサ。
[２５]
前記通信信号はスペクトル拡散信号である、[２２]に記載の信号プロセッサ。
[２６]
前記所定の数は約３２から５１２の範囲にある、[２２]に記載の信号プロセッサ。
[２７]
前記所定の数は約３２から５１２の範囲にある、[２２]に記載の信号プロセッサ。
[２８]
受信した通信信号を追跡するシステムであって、
所定の数の信号サンプルの複数の累積物を形成するように構成された累積器であって、前記累積器が隣り合った累積物を組み合わせ、これで、隣り合った累積物の所定の部分がオーバラップされるようにする累積器と；及び
前記オーバラップした累積物に基づいてタイミング誤差を決定するように構成されたタイミング弁別器と；
を備えるシステム。
[２９]
前記受信した通信信号はスペクトル拡散信号であり、前記システムは、前記タイミング誤差と関連した疑似雑音オフセットを用いて前記受信した通信信号をデスプレッドさせるように構成されたデスプレッダをさらに備える、[２８]に記載のシステム。